(57)【特許請求の範囲】
【請求項１】
医療用ワイヤの収納具であって、
前記医療用ワイヤを収納する収納筒と、
前記医療用ワイヤの一端と係止可能な係止部を備える係止具と、
前記係止具を収納筒内部へと移動させる移動機構とを備える医療用ワイヤの収納具。
【請求項２】
請求項１に記載の医療用ワイヤの収納具であって、
前記移動機構は、
前記係止具が前記収納筒と連結される構造であり、
前記収納筒の移動によって前記収納筒と連結された前記係止具が収納筒内部へと移動される連結移動機構である医療用ワイヤの収納具。
【請求項３】
請求項２に記載の医療用ワイヤの収納具であって、
前記連結移動機構は、
前記収納筒が外部筒とその内部の内部筒の重筒構造からなり、
前記係止具は前記外部筒と前記内部筒のいずれか一方と連結される構造であり、
前記連結された筒のもう一方の筒に対する相対移動によって、前記係止具が収納筒内部へと移動される機構である医療用ワイヤの収納具。
【請求項４】
請求項２または３に記載の医療用ワイヤの収納具であって、
前記連結移動機構は、前記収納筒が延伸する移動機構である医療用ワイヤの収納具。
【請求項５】
請求項１から４のいずれか１つに記載の医療用ワイヤの収納具であって、
前記係止部は前記収納筒より必要時に突出するように配される医療用ワイヤの収納具。
【請求項６】
請求項１から５のいずれか１つに記載の医療用ワイヤの収納具であって、
前記係止部は前記医療用ワイヤを引っかけるもしくは把持することで係止する構造である医療用ワイヤの収納具。
【請求項７】
請求項１から６のいずれか１つに記載の医療用ワイヤの収納具であって、
前記収納筒は袋構造または容器構造である医療用ワイヤの収納具。
【請求項８】
請求項１から７のいずれか１つに８に記載の医療用ワイヤの収納具であって、
前記収納筒は、医療用ワイヤの収納具と他の用途と兼用される医療用ワイヤの収納具。
【請求項９】
請求項１から８のいずれか１つに記載の医療用ワイヤの収納具であって、
前記収納筒は前記移動方向と逆方向に広がる構造である医療用ワイヤの収納具。
【請求項１０】
請求項１から９のいずれか１つに記載の医療用ワイヤの収納具であって
使用済み医療用ワイヤを収納する医療用ワイヤの収納具。
【請求項１１】
請求項１０に記載の医療用ワイヤの収納具に収納された使用後の医療用ワイヤを収納具ごと廃棄する医療用ワイヤの廃棄方法。
【発明の詳細な説明】
【技術分野】
【０００１】
本発明は、医療用ワイヤの収納具およびこれを用いた医療用ワイヤの廃棄方法に関する。
【背景技術】
【０００２】
従来から医療器具の廃棄処理については、安全かつ簡便に廃棄できることが望まれている。特に医療用ワイヤは、非常に長く、金属製であり、使用後には患者の血液等が付着している場合が多いため、これを安全かつ簡便に廃棄することが困難であった。
【０００３】
より具体的には以下の通りである。
【０００４】
医療用ワイヤは、体内の腔、管、血管等に挿入するための医療器具であり、例えば選択的血管造影剤等の液体の注入、血栓の除去、閉塞状態にある血管の通路確保、血管拡張術等に用いられるものである。したがって、医療用ワイヤは、細く複雑なパターンの血管系などに迅速かつ確実な選択性をもって挿入しうるような優れた操作性が要求され、硬質で細く長く、弾力性に富む特徴を有するのが通常である。
【０００５】
このような医療用ワイヤは患者体内への使用待機中、または使用後はトレーに保管されているのが一般的である。このトレーは所謂ガイドワイヤポールとも呼ばれる特別なトレーであり、医療用ワイヤは硬質で細く長く、弾力性に富むことからトレー外に飛び出してしまうことを防止するためにトレー内壁部に内側へ凸状の突起物が施されたものであることが多い。医療用ワイヤは使用前、生理食塩水やヘパリンを満たしたこのようなトレー中に保管され、また、患者の血液等が付着した使用後もこのようなトレー中に保管されている。
【０００６】
そして、手術や処置後に、トレーに保管されていた使用済みの医療用ワイヤは、これに付着した患者の血液などからの感染を防止する必要があり、また、金属製であるため、他の医療器具とは分別した上で廃棄する必要があった。
【０００７】
なお、医療用ワイヤを廃棄するための発明については、現時点で先行技術を発見することはできなかった。
【発明の開示】
【発明が解決しようとする課題】
【０００８】
しかし、トレーから別の容器へ分別しつつ回収する際には、硬質で細く長く、弾力性に富むという鉗子や注射器など他の医療器具にない医療用ワイヤの特徴が問題となる場合がある。
【０００９】
すなわち、硬質で細く長く、弾力性に富むため、そのまま直接にトレーから袋へ手作業で迅速に収納しようとすると、医療用ワイヤがのたうち回ったりするなどの予想外の動きをして、医療用ワイヤに付着した生理食塩水やヘパリン、さらには患者の血液等が周囲に飛散し看護師等が感染するおそれがあった。従って、現状では、慎重に廃棄処理をするしかなく、迅速な廃棄は困難であった
本発明は上記課題等に鑑みてなされたものであり、使用済みの医療用ワイヤを安全かつ簡便に分別廃棄処分することができる医療用ワイヤの収納具、およびこれを用いた医療用ワイヤの廃棄方法を提供することをその主な目的とする。
【課題を解決するための手段】
【００１０】
本発明は、医療用ワイヤの収納具であって、前記医療用ワイヤを収納する収納筒と、前記医療用ワイヤの一端と係止可能な係止部を備える係止具と、前記係止具を収納筒内部へと移動させる移動機構とを備えることを特徴とする。
【００１１】
前記医療用ワイヤの収納具であって、前記移動機構は、前記係止具が前記収納筒と連結される構造であり、前記収納筒の移動によって前記収納筒と連結された前記係止具が収納筒内部へと移動される連結移動機構であると好適である。
【００１２】
前記医療用ワイヤの収納具であって、前記連結移動機構は、前記収納筒が外部筒とその内部の内部筒の重筒構造からなり、前記係止具は前記外部筒と前記内部筒のいずれか一方と連結される構造であり、前記連結された筒のもう一方の筒に対する相対移動によって、前記係止具が収納筒内部へと移動される機構であると好適である。
【００１３】
前記医療用ワイヤの収納具であって、前記連結移動機構は、前記収納筒が延伸する移動機構であると好適である。
【００１４】
前記医療用ワイヤの収納具であって、前記係止部は前記収納筒より必要時に突出するように配されると好適である。
【００１５】
前記医療用ワイヤの収納具であって、前記係止部は前記医療用ワイヤを引っかけるもしくは把持することで係止する構造であると好適である。
【００１６】
前記医療用ワイヤの収納具であって、前記収納筒は袋構造または容器構造であると好適である。
【００１７】
前記医療用ワイヤの収納具であって、前記収納筒は、医療用ワイヤの収納具と他の用途と兼用されると好適である。
【００１８】
前記医療用ワイヤの収納具であって、前記収納筒は前記移動方向と逆方向に広がる構造であると好適である。
【００１９】
前記医療用ワイヤの収納具であって使用済み医療用ワイヤを収納すると好適である。
【００２０】
また本発明は、前記記載の医療用ワイヤの収納具に収納された使用後の医療用ワイヤを収納具ごと廃棄する医療用ワイヤの廃棄方法を特徴とする。
【発明の効果】
【００２１】
本発明の医療用ワイヤの収納具、およびこれを用いた廃棄方法によれば、医療用ワイヤを安全かつ簡便に収納することができるとともに、これをそのまま廃棄処理することができる。
【発明を実施するための最良の形態】
【００２２】
本発明者は、医療用ワイヤの収納安全面を重視しつつかつ迅速な収納作業をより実現できる医療用ワイヤの収納具を検討した。その結果医療用ワイヤを収納する収納筒と、前記医療用ワイヤの一端と係止可能な係止具と、前記係止された前記医療用ワイヤを収納筒内部へと移動させる移動機構とを備える医療用ワイヤの収納具であれば安全面を重視しつつも迅速な収納が可能となることを見出し、本発明に至った。
【００２３】
以下、図面に示した実施の形態に基づいて本発明を説明する。
【００２４】
図１には本実施形態に係る医療用ワイヤの収納具１００の断面図が示される。医療用ワイヤの収納具１００は、医療用ワイヤを収納する収納筒１０と、この医療用ワイヤの一端と係止可能な係止部２２を有する係止具２０と、係止具２０を収納筒１０内部へと移動させる移動機構３０とを備える構造である。
【００２５】
図２〜４を用いて医療用ワイヤ４０の収納具１００によるトレー５０中に保管されている医療用ワイヤ４０の収納方法について説明する。
【００２６】
まず、図２に示されるように、係止具２０に備えられた係止部２２を医療用ワイヤ４０の一部と係止させる。次に、図３に示されるように、移動機構３０によって係止具２０を収納筒１０内部方向へと移動させる。するとその移動に伴って係止具２０で係止された医療用ワイヤ４０はその係止点から順次収納筒１０内部へと移動させられる。こうして、図４に示されるように、医療用ワイヤ４０が全て収納筒１０内部へと移動させられることで医療用ワイヤ４０の収納筒１０内部への収納が可能となる。
【００２７】
上記医療用ワイヤの収納具１００による収納方法であれば、収納の際に医療用ワイヤと係止具に備えられた係止部で係止させるだけでよく、トレーから収納袋などに手作業で収納する方法よりも安全である。また、収納の際に血液や生理食塩水の周囲への飛散、医療用ワイヤ自体の予想外の動きによる回収者（看護師など）への感染等を収納筒１０がガードするので安全である。さらにこのような収納筒１０によるガードによって移動機構３０の移動速度を向上させることができ、医療用ワイヤの収納安全面を重視しつつかつ迅速な収納作業をより実現できることとなる。
【００２８】
図５、６、７には本実施形態の別の態様として、それぞれ医療用ワイヤの収納具２００ａ、２００ｂ、２００ｃが示される。医療用ワイヤの収納具１００と異なるのは、移動機構３０は、係止具２０が収納筒１０と連結される構造であり、収納筒１０の移動によって収納筒１０と連結された係止具２０が収納筒内部へと移動される連結移動機構であることである。このように収納筒と連結した連結移動機構であれば収納筒の移動自体が移動機構となるので他に移動機構を備えることなく簡易である。
【００２９】
医療用ワイヤの収納具２００ａの連結移動機構３０は、図５に示されるように収納筒１０が外部筒１２とその内部の内部筒１４の重筒構造からなり、係止具２０は内部筒１４と連結される構造である。この連結された筒のもう一方の筒である外部筒１２に対する相対移動によって、係止具２０が収納筒１０内部へと移動される機構である。
【００３０】
図５Ａに示されるように外部筒１２自体は移動せずともよく、内部筒１４が外部筒１２に対してスライド移動することで内部筒１４と連結された係止具２０に係止された医療用ワイヤ４０はその係止点から内部筒１４および外部筒１２内部へと移動させられる。こうして医療用ワイヤ４０が全て収納筒１０内部へと移動させられることで医療用ワイヤ４０の収納筒１０内部への収納が可能となる。ここで内部筒１４だけでなく外部筒１２の長さ分も収納筒として用いることができるので好適である。また、スライドさせる際に外部筒１２を片手で押さえ、内部筒１４を引き抜けば引き抜きの際に安定して引き抜くことができるので収納しやすい。
【００３１】
なお、本実施形態では係止具２０は内部筒１４と連結される構造で内部筒１４が外部筒１２に対してスライドしている構造を一例として説明しているが、これとは逆に係止具２０は外部筒１２と連結される構造で外部筒１２が内部筒１４に対してスライドして同様の収納を実現してもよい。
【００３２】
図６に示される医療用ワイヤの収納具２００ｂの連結移動機構３０は、収納筒１０が延伸する移動機構である。図６では図５とは別の実施形態として収納筒１０が蛇腹構造であって、この蛇腹が伸びることで収納筒１０を延伸する蛇腹構造を利用した移動機構である。
【００３３】
蛇腹構造の収納筒１０が図６の蛇腹が折り畳まれた状態から図６Ａに示されるように引き延ばされ（延伸され）これに伴って蛇腹構造の収納筒１０と連結された係止具２０に係止された医療用ワイヤ４０はその係止点から収納筒１０へと移動させられる。こうして医療用ワイヤ４０が全て引き延ばされた蛇腹構造の収納筒１０内部へと移動させられることで医療用ワイヤ４０の収納筒１０内部への収納が可能となる。このような構造であれば医療用ワイヤの収納のときにだけ蛇腹が引き延ばされて収納が可能となるように大型化するので、図６に示されるように使用前は蛇腹が折り畳まれた状態で嵩張らずに小型化して保管しておくことができ好適である。
【００３４】
図７に示される医療用ワイヤの収納具２００ｃの連結移動機構３０は、図５に示されるように収納筒１０が外部筒１２とその内部の内部筒１４の重筒構造からなり、係止具２０は内部筒１４と連結され、かつ、内部筒１４が蛇腹構造であって、この蛇腹が伸びることで内部筒１４を延伸することによって、係止具２０が収納筒１０内部へと移動される機構である。
【００３５】
図７Ａに示されるように外部筒１２自体は移動せずともよく、内部筒１４が図７の蛇腹が折り畳まれた状態から図７Ａに示されるように引き延ばされ（延伸され）これに伴って蛇腹構造の内部筒１４と連結された係止具２０に係止された医療用ワイヤ４０はその係止点から内部筒１４および外部筒１２内部へと移動させられる。こうして医療用ワイヤ４０が全て収納筒１０（内部筒１４）内部へと移動させられることで医療用ワイヤ４０の収納筒１０内部への収納が可能となる。ここで外部筒１２を片手で押さえ、内部筒１４を引き抜けば引き抜きの際に安定して引き抜くことができるので収納しやすく、かつ、医療用ワイヤの収納のときにだけ内部筒１４の蛇腹が引き延ばされて収納が可能となるように大型化するので、図７に示されるように使用前は蛇腹が折り畳まれた状態で嵩張らずに小型化して保管しておくことができ好適である。
【００３６】
図１〜７に示される医療用ワイヤ４０の収納具のように、係止具２０に備えられた係止部２２は係止時など必要時に収納筒１０より突出するように配されると好適である。医療用ワイヤの収納具の収納筒１０は係止部２２と連結されているが、係止部２２は医療用ワイヤの収納具の下端面から紐やワイヤなどからなる突出部２４によって係止時に容易に突出するように構成されている。これによって図２に示されるように医療用ワイヤ４０を係止部２２で係止させる際について、係止具２０に備えられた係止部２２が収納筒１０下端面またはそれよりも内部に配されるよりも収納筒１０が障害となりにくく、手際よく医療用ワイヤ４０を係止部２２で係止させやすい。
【００３７】
また、係止部２２は医療用ワイヤ４０を引っかけることで係止する引っかけ構造であると好適である。このような引っかけ構造については特に限られることなく適宜選択して採用することができるが、例えば医療用、事務用などのクリップや、フックなどを挙げることができる。このような引っかけ構造であると医療用ワイヤを簡単に引っかかることで係止でき好適である。また、簡単に引っかかるので医療用ワイヤに手を触れずとも医療用ワイヤを係止させることができる。
【００３８】
係止部２２は医療用ワイヤ４０を把持することで係止する把持構造であってもよい（図示せず）。このような把持構造についても特に限定されることはなく適宜選択して採用することができる。例えば、医療用の鉗子の先端部分に類似する形状を呈していてもよく、洗濯はさみの先端部分に類似する形状を呈していてもよい。この場合、当該把持構造の開閉をするための機構が別途設けられていることが好ましい。
【００３９】
図８に示されるように医療用ワイヤの収納具３００における収納筒１０は袋構造または容器構造であると好適である。袋構造または容器構造とは、係止具２０を収納筒１０内部へと移動する方向について収納筒１０が封止されていることを言う（すなわち図１〜７であれば収納筒１０の上端方向）。
【００４０】
図８に示されるように医療用ワイヤの収納具３００は、袋構造または容器構造によって移動する方向について収納筒１０が封止部１６によって封止されているのでさらに移動方向（上端方向）についても血液や生理食塩水の周囲への飛散、医療用ワイヤ自体の予想外の動きによる回収者へのダメージを収納筒１０が袋構造または容器構造であることによって上端の封止部１６がガードするので安全であり、さらにも増してガードが厳重となり、移動機構３０の移動速度を向上させることができ、医療用ワイヤの収納安全面を重視しつつ、かつ、さらにも増した迅速な収納作業をより実現できることとなる。
【００４１】
収納筒は、医療用ワイヤの収納具とは別に他の用途と兼用されると好適である。他の用途で使用した後、使用済みの医療用ワイヤの収納具として用いれば兼用でき便宜である。他の用途としては、例えば収納筒が容器構造で液体を収容する液体容器であると好適である。この場合、液体を保管するビーカなどとして使用することができ便宜である。
【００４２】
図９に示される医療用ワイヤの収納具４００は、収納筒１０は移動方向と逆方向（すなわち図９では下端方向）に広がる構造を好適例としている。すなわち収納筒１０の下端は下端部へ向かって末広がりの構造、所謂ラッパ状体１８となっている。ラッパ状体１８によって幅広く医療用ワイヤに付着した血液や生理食塩水の周囲への飛散、医療用ワイヤ自体の予想外の動きによる回収者へのダメージを収納筒１０が末広がりの構造であるラッパ状体１８によって幅広く防ぐことができるので安全であり、さらにも増してガードが厳重となり、移動機構３０の移動速度を向上させることができ、医療用ワイヤの収納安全面を重視しつつ、かつさらにも増した迅速な収納作業をより実現できることとなる。
【００４３】
本実施形態に係る医療用ワイヤの収納具によれば、収納の際には、医療用ワイヤと係止具に備えられた係止部で係止させるだけでよく、手作業で収納する方法よりも医療用ワイヤ自体の予想外の動きによる回収者（看護師等）への感染等を収納筒１０がガードするので安全である。また、さらに、医療用ワイヤを収納した状態でそのまま廃棄処分をすることができる点でも有利である。
【００４４】
なお、上記実施形態における収納筒についてその形状は略円筒状、略多角形状などに限られることなく適宜選択して採用することができる。また収納筒の材質は特に限られることなく選択して用いることができるが、例えば樹脂製、硝子製、金属製、紙製などを例示することができる。収納筒はメッシュなど孔が空いていないものが付着液の飛散の観点から当然に望ましいが、使用前医療用ワイヤの収納などの場合にはメッシュなど医療用ワイヤ自体の予想外の動きさえ防げればよいのであれば孔が空いていてもよい。
【００４５】
また上記実施形態における移動機構については、好適例として収納筒と連結した連結移動機構について説明しているがこれに限られることなく外部の動力機構によって係止具を移動させる移動機構であってもよい。
【実施例】
【００４６】
以下本実施形態をより詳細に説明するための具体例を実施例として示す。
【００４７】
（実施例１）
図１０は、本発明の実施例１に係る医療用ワイヤの収納具５００の斜視図であり、図１０Ａ〜図１０Ｃは、その使用方法の説明図である。
【００４８】
図１０に示すように、医療用ワイヤの収納具５００は外部筒であってラッパ形状のスタンドガイド１２、内部筒１８の一部である封止部１６によって封止された袋構造たる蛇腹袋１４とからなる重筒構造の収納筒１０、と蛇腹袋１４に連結され、係止部がクリップ２２で、後に収納筒１０下端から突出させる突出部が紐２４である係止具２０と、蛇腹袋１４の蛇腹構造により蛇腹袋１４を引き抜きによって延伸する移動機構３０とから主に構成されている。
【００４９】
図示する医療用ワイヤの収納具５００は、医療用ワイヤの回収前においては蛇腹袋１４と連接する内部筒１８が、封止部１６を底とするビーカーとして用いられる。この際、当該内部筒１８中に入れられる液体を最後まで使用することを可能とするために、底として機能する封止部１６は下に凸の傾斜になっている。また、このように内部筒１８をビーカーとして用いる場合に、係止具２０が邪魔にならないように、当該係止具２０は、外部筒としてのスタンドガイド１２の内側に収納されている。
【００５０】
図１０Ａに示されるように、医療用ワイヤの収納具５００により医療用ワイヤを回収する際には、係止具２０をスタンドガイド１２から突出させる（より具体的には、クリップ２２を紐２４で垂らす。）次にクリップ２２をアンギオトレー５０中に保管されている医療用ワイヤ４０の一部と係止する。
【００５１】
医療用ワイヤ４０とクリップ２２が係止されたら図１０Ｂに示されるようにスタンドガイド１２を片手で持ち、もう一方の手で蛇腹袋１４と連接する内部筒１８を持ち上方へ引き抜く。これによって蛇腹袋１４の蛇腹構造が延伸し、これに伴って内部筒１８と連結されたクリップ２２によって係止された医療用ワイヤ４０が蛇腹袋１４内部へと次々に収納されていくこととなる。ついには図１０Ｃに示されるように医療用ワイヤ４０が蛇腹袋１４内部へ完全に収納されることとなる。
【００５２】
（実施例２）
図１１は、本発明の実施例２に係る医療用ワイヤの収納具６００の断面図であり、図１１Ａ〜図１１Ｅは、その使用方法の説明図である。また、図１１Ｆは、本発明の実施例２に係る医療用ワイヤの収納具６００を構成する筒２８の別の形態を示す図である。
【００５３】
図１１に示すように、医療用ワイヤの収納具６００は外部筒であってラッパ状体を有するスタンドガイド１２、内部筒たる蛇腹袋１４、および蛇腹袋１４に連結された筒２８とからなる重筒構造の収納筒１０と、平板状のフック２２、回転体２７、および引き抜き部２６とからなる係止具２０と、蛇腹袋１４の蛇腹構造により蛇腹袋１４に連結された筒２８を引き抜きによって延伸する移動機構３０とから主に構成されている。また、前記筒２８の内部空間２５の断面形状は、前記係止具２０を構成する回転体２７の断面形状と略同一であり、当該内部空間２５内を回転体２７が上下に移動可能となっている。
【００５４】
係止具２０は、収納筒１０よりも上端部に引き抜きのための引き抜き部２６を有しており、スタンドガイド１２を片手で持ち、もう一方の手で引き抜き部２６を手で持ち、引き抜くことで係止具２０の側面と連結された蛇腹袋１４の蛇腹構造を引き延ばして蛇腹袋１４を延伸させることができる。また、封止具２１は、係止具２０における蛇腹袋１４の上端に位置し、蛇腹袋１４の上端を封止している。
【００５５】
医療用ワイヤの収納具６００による医療用ワイヤの回収は、以下の第１から第４の工程により行うことができる。
【００５６】
第１に、図１１Ａに示すように、収納筒１０の下端から突出したフック２２を、平板状であることを活用して医療用ワイヤ４０の下に滑り込ませる。
【００５７】
第２に、フック２２に医療用ワイヤ４０を誘導させる。誘導方法は次に述べる方法にて行う。
【００５８】
図１１Ｂ〜図１１Ｅは、図１１に示す医療用ワイヤ４０の収納具６００を構成する係止具２０の構造および機能を説明するための図である。
【００５９】
係止具２０は、図１１Ｂに示されるように蛇腹袋１４とその側面が連結された筒２８の内部空間２５内に位置し、筒２８と一体となって回転する回転体２７とを備えている。つまり、前述したように、回転体２７の断面形状と筒２８の内部空間２５の断面形状とは略同一であるため、回転体２７のみが回転するだけの余裕は内部空間２５にはなく、回転体２７が回転すれば筒２８も一体となって回転することとなる。また、引き抜き部２６を回転させるとこれと一体化された回転体２７が回転し、フック２２も回転する構造である。なおこのとき、前述のように、回転体２７が回転することで筒２８も回転するが、筒２８と蛇腹袋１４を介して連接しているスタンドガイド１２は、当該スタンドガイド１２を使用者がその手で持っている状態においては回転することはない。なぜなら、筒２８とスタンドガイド１２とを繋ぐ蛇腹袋１４は、医療用ワイヤ４０を収納するために十分な長さを備えているため、回転体２７の回転に伴い筒２８が回転しても、当該スタンドガイド１２を操作者がその手で持っている状態においては、蛇腹袋１４がよじれるのみで足りるからである。
【００６０】
この回転によって図１１Ｃに示されるようにフック２２が回転（例えば９０°回転）し、医療用ワイヤ４０をスムーズにフック２２内へ誘導させることができる。これによって医療用ワイヤ４０に手を触れずにフック２２に医療用ワイヤ４０を引っかけることができる。
【００６１】
なお、前記の回転に関する記載は、一実施形態であり、係止具２０の回転に伴い、回転体２７、フック２２が共に回転し、さらにスタンドガイド１２自体も回転してもよい。
【００６２】
さらにまた、前記では、筒２８の内部空間２５の断面形状と、当該内部空間２５内に位置する回転体２７の断面形状とが略同一であったが、これに限定されることもなく、回転体２７の断面形状に対して、筒２８の内部空間２５の断面形状を大きくし、当該内部空間２５内を回転体２７が自由に回転可能としてもよい。この場合、回転体２７が回転しても筒２８は回転せず、従ってスタンドガイド１２も回転することはない。
【００６３】
さらには、図１１Ｆに示すように、筒の内部空間２５の断面形状をその途中から変形してもよい。具体的には、筒の内部空間２５において回転体２７が位置する部分は、回転体２７が自由に回転できるように回転体２７の断面形状よりも大きな断面形状とし、一方で、内部空間２５において、係止具２０を引き抜き部２６によって引き抜くことにより回転体２７と連接するフック２２が収納される部分にあっては、当該フック２２の断面形状と略同一の幅を有するとともに、回転体２７が回転することにより、これと連動して回転する係止具２７の軌跡に合わせて略「Ｃ」字形状としてもよい。さらにまた、筒の内部空間の断面形状を全体にわたって略「Ｃ」字形状とすることも可能である（図示せず）。
【００６４】
第３に、引き抜き部２６を用いて係止具２０全体を引き抜くことにより、医療用ワイヤ４０が引っかかった状態のフック２２を筒２８の内部空間２５内へ引き込む。これにより、図１１Ｄに示すように、医療用ワイヤ４０は、フック２２と筒２８の内壁とに挟まった状態となり、係止される。
【００６５】
また、医療用ワイヤ４０の係止方法は、特に限定されることはなく、例えば筒２８の底部２４とフック２２とを嵌合せしめることで係止してもよく、また、操作者がフック２２を筒２８の底部２４に押しつけた状態を維持することで係止してもよく、他の従来公知の手段、機構などを適宜用いて係止してもよい。
【００６６】
図１１Ｄおよび図１１Ｅは、図１１に示す医療用ワイヤ４０の収納具６００によりワイヤ４０を収納する過程を示す図である。
【００６７】
第４に、医療用ワイヤ４０を蛇腹袋１４へ収納させる。収納方法は次に述べる方法にて行う。つまり、前記第３の係止ができたら、図１１Ｅに示されるようにスタンドガイド１２を片手で持ち、もう一方の手で引き抜き部２６を手で持ち、引き抜くことで係止具２０の側面と連結された蛇腹袋１４の蛇腹構造を引き延ばして蛇腹袋１４を延伸させる。これに伴って蛇腹袋１４と連結され、フック２２が係止した医療用ワイヤ４０が蛇腹袋１４内部へと次々に収納されていくこととなる。ついには図１１Ｅに示されるように医療用ワイヤ４０が蛇腹袋１４内部へ完全に収納されることとなる。
【００６８】
また、図示しないが、実施例２におけるフック２２を把持部、引き抜き部２６を引き抜き部兼把持操作部として、把持手段を用いて医療用ワイヤ４０を係止し、引き抜くことで蛇腹袋へ回収してもよい。
【図面の簡単な説明】
【００６９】
【図１】本実施形態に係る医療用ワイヤの収納具の模式図である。
【図２】本実施形態に係る医療用ワイヤの収納具の使用方法の説明図である。
【図３】本実施形態に係る医療用ワイヤの収納具の使用方法の説明図である。
【図４】本実施形態に係る医療用ワイヤの収納具の使用方法の説明図である。
【図５】本実施形態に係る医療用ワイヤの収納具の模式図である。
【図５Ａ】本実施形態に係る医療用ワイヤの収納具の使用方法の説明図である。
【図６】本実施形態に係る医療用ワイヤの収納具の模式図である。
【図６Ａ】本実施形態に係る医療用ワイヤの収納具の使用方法の説明図である。
【図７】本実施形態に係る医療用ワイヤの収納具の模式図である。
【図７Ａ】本実施形態に係る医療用ワイヤの収納具の使用方法の説明図である。
【図８】本実施形態に係る医療用ワイヤの収納具の模式図である。
【図９】本実施形態に係る医療用ワイヤの収納具の模式図である。
【図１０】本実施例に係る医療用ワイヤの収納具の斜視図である。
【図１０Ａ】本実施例に係る医療用ワイヤの収納具の使用方法の説明図である。
【図１０Ｂ】本実施例に係る医療用ワイヤの収納具の使用方法の説明図である。
【図１０Ｃ】本実施例に係る医療用ワイヤの収納具の使用方法の説明図である。
【図１１】本実施例に係る医療用ワイヤの収納具の断面図である。
【図１１Ａ】本実施例に係る医療用ワイヤの収納具の使用方法の説明図である。
【図１１Ｂ】本実施例に係る医療用ワイヤの収納具の使用方法の説明図である。
【図１１Ｃ】本実施例に係る医療用ワイヤの収納具の使用方法の説明図である。
【図１１Ｄ】本実施例に係る医療用ワイヤの収納具の使用方法の説明図である。
【図１１Ｅ】本実施例に係る医療用ワイヤの収納具の使用方法の説明図である。
【図１１Ｆ】本発明の実施例に係る医療用ワイヤの収納具を構成する筒の別の形態を示す図である。
【符号の説明】
【００７０】
１０  収納筒
２０  係止具
３０  移動機構
４０  医療用ワイヤ
５０  トレー
１００、２００、３００、４００、５００、６００  医療用ワイヤの収納具
【図１】
0005171376.tif 000002
【図２】
0005171376.tif 000003
【図３】
0005171376.tif 000004
【図４】
0005171376.tif 000005
【図５】
0005171376.tif 000006
【図５Ａ】
0005171376.tif 000007
【図６】
0005171376.tif 000008
【図６Ａ】
0005171376.tif 000009
【図７】
0005171376.tif 000010
【図７Ａ】
0005171376.tif 000011
【図８】
0005171376.tif 000012
【図９】
0005171376.tif 000013
【図１０】
0005171376.tif 000014
【図１０Ａ】
0005171376.tif 000015
【図１０Ｂ】
0005171376.tif 000016
【図１０Ｃ】
0005171376.tif 000017
【図１１】
0005171376.tif 000018
【図１１Ａ】
0005171376.tif 000019
【図１１Ｂ】
0005171376.tif 000020
【図１１Ｃ】
0005171376.tif 000021
【図１１Ｄ】
0005171376.tif 000022
【図１１Ｅ】
0005171376.tif 000023
【図１１Ｆ】
0005171376.tif 000024